(57)【要約】  本発明は、２種以上の異なるポリエステルから作製されるポリエステル糸条に関する。本発明は、また、２種以上の異なるポリエステルから作製される最終物品、特にカーペットにも関する。【特許請求の範囲】
【請求項１】
第一繊維成分と第二繊維成分を含んでなる混合ポリエステル糸条であって、前記第一繊維成分は、ポリ（トリメチレンテレフタレート）フィラメントを含んでなり、前記第二繊維成分は、第二ポリエステルのフィラメントを含んでなる混合ポリエステル糸条。
【請求項２】
前記第二ポリエステルが、ポリ（トリメチレンテレフタレート）である請求項１に記載の混合ポリエステル糸条。
【請求項３】
前記第一繊維成分が、前記第一繊維成分の総重量を基準として、少なくとも約８５重量％のポリ（トリメチレンテレフタレート）フィラメントを含んでなる請求項１に記載の混合ポリエステル糸条。
【請求項４】
前記糸条が、前記混合ポリエステル糸条の総重量を基準として、３０重量％〜９０重量％の前記第一繊維成分と、７０重量％〜１０重量％の前記第二繊維成分を含んでなる請求項１に記載の混合ポリエステル糸条。
【請求項５】
前記第一繊維成分が、少なくとも６ｄｐｆのデニールを有するフィラメントを含んでなる請求項１に記載の混合ポリエステル糸条。
【請求項６】
前記第二繊維成分が、少なくとも６ｄｐｆのデニールを有するフィラメントを含んでなる請求項１に記載の混合ポリエステル糸条。
【請求項７】
前記第一繊維成分が、ポリ（トリメチレンテレフタレート）を含んでなる２種以上の繊維を含んでなる請求項１に記載の混合ポリエステル糸条。
【請求項８】
請求項１に記載の混合ポリエステル糸条を含んでなるカーペット。
【請求項９】
請求項１に記載の混合ポリエステル糸条から作製されるカーペットであって、前記カーペットが、ループパイルおよびカットパイルの少なくとも１つを含んでなるカーペット。
【請求項１０】
ループパイル糸条とカットパイル糸条とを含んでなる請求項９のカーペットであって、前記ループパイル糸条が、ポリ（エチレンテレフタレート）フィラメントを含んでなり、前記カットパイル糸条が、ポリ（トリメチレンテレフタレート）フィラメントを含んでなるカーペット。
【請求項１１】
第一糸条成分と第二糸条成分とを含んでなるカーペットであって、前記第一糸条成分が、ＰＴＴ糸条を含んでなり、前記第二糸条成分が、ＰＥＴ糸条を含んでなるカーペット。
【請求項１２】
ステープル糸条から作製されるカーペットであって、前記ステープル糸条が、ＰＴＴと第二ポリエステルを含んでなるカーペット。
【請求項１３】
前記第二ポリエステルがＰＥＴである請求項１１に記載のカーペット。
【請求項１４】
請求項１に記載の混合ポリエステル糸条から作製されるカーペットであって、ポリエステル押出中に顔料着色によって着色されるカーペット。
【請求項１５】
請求項１に記載の混合ポリエステル糸条から作製されるカーペットであって、前記カーペットが、分散染料によって着色されるカーペット。
【発明の詳細な説明】
【技術分野】
【０００１】
本発明は、２種以上の異なるポリエステルから作製されるポリエステル糸条に関する。本発明は、また、２種以上の異なるポリエステルから作製される最終物品、特にカーペットにも関する。
【発明の概要】
【課題を解決するための手段】
【０００２】
本発明の一態様は、第一繊維成分と第二繊維成分を含んでなる混合ポリエステル糸条であり、第一繊維成分は、ポリ（トリメチレンテレフタレート）フィラメントを含んでなり、第二繊維成分は、第二ポリエステルのフィラメントを含んでなる。
【０００３】
本発明の別の態様は、第一繊維成分と第二繊維成分を含んでなる混合ポリエステル糸条から作製されるカーペットであり、第一繊維成分は、ポリ（トリメチレンテレフタレート）フィラメントを含んでなり、第二繊維成分は、第二ポリエステルのフィラメントを含んでなり、カーペットは、ループパイルおよびカットパイルの少なくとも１つを含んでなる。
【０００４】
本発明のさらなる態様は、第一糸条成分と第二糸条成分を含んでなるカーペットであり、第一糸条成分は、ＰＴＴ糸条を含んでなり、第二糸条成分は、ＰＥＴ糸条を含んでなる。
【０００５】
本発明の上記および他の態様は、以下の説明および請求項を考慮して当業者には明らかであろう。
【発明を実施するための形態】
【０００６】
本発明は、ポリエステルの混合物から作製される糸条を提供し、「混合ポリエステル糸条」とも称される。その混合物は、以下に開示される通り、様々な方法で形成されることができる。
【０００７】
全ての相溶性ポリエステルが、この糸条に使用でき、ＰＴＴは、第一ポリエステルとしてこの糸条に使用できる。好適な実施形態において、この糸条は、第二ポリエステルとして、ポリ（エチレンテレフタレート）（ＰＥＴ）および／またはポリ（ブチレンテレフタレート）（ＰＢＴ）を含有する。いくつかの実施形態において、この糸条は、３種以上のポリエステルを含有でき、ＰＴＴは、第一ポリエステルであり、ＰＥＴは、第二ポリエステルである。
【０００８】
本発明は、また、混合ポリエステル糸条から作製されるカーペットを提供する。混合ポリエステル糸条は、２種以上のポリエステルの個々のフィラメントから作製することができる。いくつかの実施形態において、第一ポリエステルＰＴＴの糸条は、第二ポリエステルの糸条と撚り合わされる。いくつかの実施形態において、糸条が、ＰＴＴおよび第二ポリエステルのフィラメントを撚り合わせることにより形成され、その糸条は、ＰＴＴおよび／または別のポリエステルの糸条と撚り合わされることができる。上記および他の実施形態が、以下にさらに十分に記載される。
【０００９】
用語「フィラメント」は、本明細書において、紡糸口金からの押出によって作製される単一、連続繊維を指すのに使用される。ポリエステルフィラメントは、通常、最大３０ｄｐｆ（デニール／フィラメント）までのデニールを有する。
【００１０】
用語「糸条」は、本明細書において、複数のフィラメントを指すのに使用される。複数のフィラメントは、単一の紡糸口金から生産されて、一緒に絡み合わされて糸条を形成することができる。別の方法として、２つ以上の紡糸口金からの複数のフィラメントが、撚り合わされ、糸条を形成することができる。
【００１１】
本明細書において使用される通り、ＰＴＴフィラメントは、ＰＴＴを含有するフィラメントであり、最大約１５％までの別のポリエステルを含有することができる。従って、用語「ＰＴＴフィラメント」は、本明細書において使用される場合、１００％ＰＴＴから作製されるフィラメントと、また最大約１５％までの別のポリエステルを含有するフィラメントとを包含することを意味し、他のポリエステルは、例えば、ＰＥＴ、ＰＴＴまたはＰＢＴでありうる。
【００１２】
本明細書において使用される通り、ＰＥＴフィラメントは、ＰＥＴホモポリマーまたはコポリマーで作製されることができる。例えば、コポリマーは、エチレングリコールと別のモノマーとを含んでなることができる。本明細書で開示される実施形態における使用に関して、コポリマーは、通常、１００〜８５％のエチレングリコールと０〜１５％の（ＣＨＤＭ）シクロヘキサンジメタノールとを含んでなる。
【００１３】
本明細書において列挙する全てのパーセンテージは、特に明記しない限り、重量％である。
【００１４】
カーペット等の最終製品を作製するために、糸条は、ボビンを固定する装置であるクリールに送られ、各ボビンは、ボビンに巻き付けられた糸条を有する。ボビンからの糸条は、撚り合わされた後、一緒に熱硬化されて、「タフト準備済み（ｒｅａｄｙ−ｔｏ−ｔｕｆｔ）」糸条（本明細書においてＲＴＴと称する）を形成することができる。本発明の実施形態に従って、ＲＴＴは、混合ポリエステル糸条から形成される。
【００１５】
本発明の実施形態に従って、糸条および／または糸条から形成されたＲＴＴは、異なるポリエステル組成物のフィラメントを含んでなることができる。ＲＴＴを使用してカーペットを作製することができる。
【００１６】
従って、いくつかの実施形態において、２種以上の異なるポリエステル組成物（ポリエステルホモポリマーおよび／またはポリエステルコポリマーを含んでなることができる）の複数のフィラメントは、一緒にされて（絡み合わされて）混合ポリエステル糸条を作製することができる。別の方法として、単一ポリエステル組成物の複数のフィラメントは、第二、単一ポリエステル組成物の複数のフィラメントと絡み合わされて、混合ポリエステル糸条を作製することができる。従って、０〜１００％のポリ（トリメチレンテレフタレート）（ＰＴＴ）および１００〜０％の別のポリエステル（ポリエステルホモポリマーおよび／またはポリエステルコポリマーを含んでなることができる）の個々のフィラメントを含有する第一糸条成分は、０〜１００％の第二ポリエステルおよび１００〜０％のＰＴＴの個々のフィラメントを含有する第二糸条成分と一緒にされる（撚り合わされる）ことができる。例えば、３０％のＰＴＴフィラメントと７０％の別のポリエステルのフィラメントを含有する第一糸条は、３０％のＰＴＴフィラメントと７０％の別のポリエステルのフィラメントを含有する第二糸条と一緒にされて（撚り合わされて）、ＲＴＴを形成することができる。
【００１７】
好適な実施形態において、第二ポリエステルは、ＰＥＴである。第二ポリエステルとして使用できる他のポリエステルとして、ポリブチレンテレフタレートが挙げられる。
【００１８】
好適な実施形態において、ＲＴＴは、３０％〜９０％の第一糸条成分を含有し、第一糸条成分は、ＰＴＴフィラメントを含有し、７０％〜１０％の第二糸条成分は、ＰＥＴフィラメントを含有する。第一糸条成分は、例えばＰＴＴフィラメント内にブレンドされた０％〜１５％のＰＥＴフィラメントを含有することができる。撚り合わされた糸条の数に応じて、ＲＴＴは、ＰＥＴ（低いｄｐｆのために軽量）を有する１種（またはそれ以上）の糸条および／またはＰＴＴ（高いｄｐｆのために重量）を含有する１種（またはそれ以上）の糸条を含有することができる。
【００１９】
好適な実施形態において、混合ポリエステル糸条のＲＴＴから作製されるカーペットは、少なくとも３０％のＰＴＴ、さらに好ましくは少なくとも４０％のＰＴＴを含有し、いくつかのさらに好適な実施形態において、５０％のＰＴＴもしくはそれ以上のＰＴＴを含有する。ＰＴＴ含有量に上限はないが、通常、この糸条中のＰＴＴ含有量は、９０％以下、好ましくは８０％以下、さらに好ましくは７０％以下である。
【００２０】
ＰＴＴのフィラメントは、少なくとも６ｄｐｆ、好ましくは６〜２０ｄｐｆのデニール／フィラメントの範囲を有することができ、ＰＥＴ糸条は、好ましくは少なくとも６ｄｐｆのデニール／フィラメントを有する。ＰＥＴ糸条が、ＰＴＴ糸条のｄｐｆよりも低いｄｐｆを有するのが好ましい。大きなｄｐｆのＰＴＴ繊維が、良質のカーペットに所望される摩耗性能に関して、より良好な抗圧縮性および耐久性を提供する一方、低いｄｐｆのＰＥＴ繊維は、より柔らかな全体的な触感を提供する。
【００２１】
１種もしくはそれ以上のＰＥＴ糸条は、インチ当りの様々な撚り数（ｔｐｉ）で、通常３〜９で、１種もしくはそれ以上のＰＴＴ糸条と撚り合わされることができる。別の方法として、ＰＥＴまたはＰＴＴ糸条は、それらだけで３〜９ｔｐｉで撚り合わされることができる。
【００２２】
カーペットを作製するために、嵩高処理された連続フィラメント（ｂｃｆ）糸条が、通常使用される。ｂｃｆ糸条は、通常約１５０の個々のフィラメントで作製される。従って、本発明の実施形態に従って、ｂｃｆは、異なるポリエステルの個々の糸条を含有する。
【００２３】
いくつかの別の実施形態において、カーペットは、ステープル糸条から作製することができる。ステープル糸条は、フィラメントの「トウ」と呼ばれるロープ様構造から形成され、約１〜６インチのステープル繊維長に切断される。トウを作製するために、異なる紡糸口金からの複数のフィラメント、例えば約１５０のフィラメントが、一緒に絡み合わされてトウとなる。フィラメントは、同じポリエステル組成物でも異なるポリエステル組成物でも可能である。通常、各トウは、捲縮され、乾燥され、熱硬化された後、ステープルが別のトウからのステープルと一緒にされる前に、所望のステープル長に切断される。ステープル糸条は、トウにブレンドされる。例えばＰＴＴフィラメントのトウとＰＥＴフィラメントのトウ（各々ステープル長に切断されている）は、一緒にブレンドされて混合物を形成することができ、バットに整えられて、順にスライバに引き込まれ、糸条を作製するのに使用される。
【００２４】
混合ポリエステル糸条のＲＴＴから作製されるカーペットは、様々な方法で作製されることができる。例えば、カーペットは、２種の糸条成分から作製されることができ、第一糸条成分は、本明細書に定義される（即ち、最大約１５％までのＰＴＴ以外のポリエステルを含有する）ＰＴＴ糸条から作製され、第二糸条成分は、ＰＥＴ、ＰＢＴ、または別のポリエステルの糸条から作製される。糸条成分は、様々な方法でカーペット内に分布されることができる。例えば、パターンは、２種の糸条成分の分布によって形成されることができ、その成分は、カーペットの２成分内のポリエステルの染色特性の違いによって、異なる外観を有することができる。
【００２５】
カーペットは、１００〜０％カットパイルと共に０〜１００％ループパイルを含んでなる構造において、加撚されたＰＴＴ／ＰＥＴ糸条または加撚されたＰＴＴ糸条と加撚されたＰＥＴ糸条の混合物で構成されることができる。いくつかの実施形態において、カーペットは、最大２５％までのループパイルと最大７５％までのカットパイルを含んでなる。別の方法として、カーペットは、ループパイル部分とカットパイル部分を有することができ、ループパイル部分は、撚ＰＥＴで構成され、カットパイル部分は、加撚されたＰＴＴで構成される。このようなタイプの構成（カットパイルとループパイルの両方を含む）は、低コストのＰＥＴの使用により、コスト優位性を提供でき、ＰＴＴを使用することと関連して、耐久性および弾力性を維持して、両方の糸条からの利点を達成する。染料系は、カーペットが１つの色処方（ｃｏｌｏｒ  ｒｅｃｉｐｅ）で染色されることができるが明るい色調と暗い色調の混合を生じる単色染料でも、いくつかの実施形態における、ポリエステル染料の混合を異なる染料の活性化温度で使用できて単一色調の結果を得る単色染料でもどちらでも可能である。
【００２６】
混合ポリエステルから作製されるカーペットは、カーペットにおける従来の単一成分のポリエステル繊維糸条を超える以下の１）〜１０）を含む利点を提供する：１）再生利用可能に適合するポリエステル系を有する糸条およびカーペットが、作製されることができる；２）全てＰＴＴもしくはナイロンから作製されるカーペットと比較すると、総原価の削減を実現できる；３）永続する耐汚染性を提供できる；４）この糸条から作製されるカーペットにおける摩耗性能は、１００％ナイロンカーペットの摩耗性能と同等かもしくはそれよりも優れていることが可能である；５）この糸条は、通常、ナイロンよりも迅速に乾燥する；６）この糸条は、新しい形式と強化された外観を考慮した染色特性を有する；７）ナイロンに使用される有機酸染料よりもむしろさらに耐久性のあるポリエステル分散染料を用いることによって、ナイロンカーペットよりも良好な耐光堅牢度および耐漂白堅牢度（ｂｌｅａｃｈ  ｆａｓｔｎｅｓｓ）を得ることができる；８）少ない水分に関連した糸条の膨潤度のおかげで、より良好な寸法安定性を得ることができる；９）カーペットが、同一の構成で作製されたＰＥＴカーペットよりも柔らかい触感を有することができる；１０）この糸条から作製されたカーペットは、同じポリエステル分散染料を用いても、ブレンドされたポリエステル分散染料を用いても、同じ染色法で染色されることができる。
【００２７】
染料に代わるものとして、押出中にポリエステルに顔料を含むことにより、この糸条は、着色されることができる。この方法で着色された糸条は、「生産者で着色された（ｐｒｏｄｕｃｅｒ  ｃｏｌｏｒｅｄ）糸条」として当業界では公知である。
【国際調査報告】
2013535585.tif 000002
2013535585.tif 000003
2013535585.tif 000004